(57)【要約】【課題】シュリンクフィルムを巻着したフィルム付容器において、シュリンクフィルムの破断開始部が極めて容易に見つけられ、破断開始部にめくれ上がりがなく、シュリンクフィルムを引き剥がそうとする場合には、容易に引き剥がせるようにする。【解決手段】容器本体２にシュリンクフィルム１０が巻着されているフィルム付容器１Ａにおいて、シュリンクフィルム１０の延伸方向が容器本体２の周方向であり、シュリンクフィルム１０の縁部に一対のノッチ２０ａ、２０ｂが設けられ、各ノッチ２０ａ、２０ｂのシュリンクフィルム縁部側角隅部２１が面取りされている。【選択図】図１
2007331764.tif 000002
【特許請求の範囲】
【請求項１】
容器本体にシュリンクフィルムが巻着されているフィルム付容器であって、シュリンクフィルムの延伸方向が容器本体の周方向であり、シュリンクフィルムの縁部に一対のノッチが設けられ、各ノッチのシュリンクフィルム縁部側角隅部が面取りされているフィルム付容器。
【請求項２】
面取りが、丸み付けである請求項１記載のフィルム付容器。
【請求項３】
容器本体のパネル面上に一対のノッチが設けられている請求項１又は２記載のフィルム付容器。
【請求項４】
ノッチの谷部から容器本体の高さ方向にミシン目が形成されている請求項１〜３のいずれかに記載のフィルム付容器。
【発明の詳細な説明】
【技術分野】
【０００１】
本発明は、シュリンクフィルムを巻着したフィルム付容器に関する。
【背景技術】
【０００２】
一般に、ＰＥＴボトル等の胴部には、製品名、内容物、メーカー名等を記載したシュリンクフィルムが熱収縮により巻着されている。
【０００３】
このシュリンクフィルムは、塩化ビニル、ポリプロピレン等の延伸フィルムからなり、ＰＥＴボトルの構成樹脂であるポリエチレンテレフタレートと異なる。そのため、リサイクルの点から、容器の廃棄に際しては、ＰＥＴボトルの容器本体からシュリンクフィルムを分別する要請が強い。そこで、従来より、容器本体に巻着されたシュリンクフィルムの引き剥がしを容易にするために、シュリンクフィルムに帯状にミシン目を設け、その帯状部の端部を舌片状に突出させること（特許文献１）、シュリンクフィルムに多数列の切目線を設けること（特許文献２）、角型ペットボトルに巻着したシュリンクフィルムについて、ボトルの稜線部にミシン目を設けること（特許文献３）、シュリンクフィルムの上縁部にＶ字型切れ込みを入れ、Ｖ字型切れ込みの両側にミシン目を設けること（特許文献４）等が提案されている。
【０００４】
【特許文献１】実開平５−１６６３４号公報
【特許文献２】特開２０００−１５９２３５号公報
【特許文献３】特開２００２−３２６６３８号公報
【特許文献４】特開２００５−１５０４９号公報
【発明の開示】
【発明が解決しようとする課題】
【０００５】
しかしながら、シュリンクフィルムに単にミシン目を形成しても、シュリンクフィルムには種々の情報が印刷され、色や柄がデザインされているので、シュリンクフィルムの破断開始部とするミシン目の端部が視認されにくい。ミシン目を大きく、あるいは多数列形成すると、ミシン目は視認されやすくなるが、過度に裂けやすくなり、搬送中や落下時の衝撃により不要に裂ける場合がある。
【０００６】
シュリンクフィルムに舌片状の突出部（特許文献１）やＶ字型切れ込み（特許文献４）を設けると、シュリンクフィルムの破断開始部は容易に視認されるようになる。しかしながら、舌片状の突出部は容器本体上で周囲の物に引っかかってめくれ上がることがある。また、シュリンクフィルムにＶ字型切れ込みを設けるために、シュリンク前のフィルムにＶ字型切れ込みを入れ、それを容器本体に被せた後シュリンクさせると、シュリンク後には、Ｖ字型切れ込みのシュリンクフィルム縁部側角隅部が浮き上がり、めくれ易くなる。容器本体に巻着したシュリンクフィルムのめくれ上がった部分は、輸送中や陳列時に周囲の物に引っかかり、シュリンクフィルムを不要に裂けさせたり、容器の使用者の手指に当たって使用者を不快にさせる。
【０００７】
これに対して、本発明は、シュリンクフィルムを巻着したフィルム付容器において、シュリンクフィルムの破断開始部が極めて容易に見つけられ、破断開始部にめくれ上がりがなく、かつ容器の廃棄時等にシュリンクフィルムを引き剥がそうとする場合には、容易に引き剥がすことのできるフィルム付容器を提供することを目的とする。
【課題を解決するための手段】
【０００８】
本発明者は、容器本体に巻着したシュリンクフィルムの上縁部又は下縁部に破断開始部としてノッチを設けるにあたり、シュリンク前のフィルムに単にＶ字型のノッチを入れ、それをシュリンクさせるのではなく、Ｖ字型のノッチのシュリンクフィルム縁部側角隅部を面取りしておくと、シュリンク後にノッチの角隅部が不要にめくれ上がることが解消されること、また、シュリンクフィルムの延伸方向を容器本体の周方向（横方向）とし、かつ上述のノッチをシュリンクフィルムに一対設けると、ミシン目を形成しなくても、ノッチ間のフィルムをつまんで引っ張ることにより、フィルムを容易に面状に引き剥がせることを見出し、本発明を完成させた。
【０００９】
即ち、本発明は、容器本体にシュリンクフィルムが巻着されているフィルム付容器であって、シュリンクフィルムの延伸方向が容器本体の周方向であり、シュリンクフィルムの縁部に一対のノッチが設けられ、各ノッチのシュリンクフィルム縁部側角隅部が面取りされているフィルム付容器を提供する。
【００１０】
ここで、ノッチとは、Ｖ字型、Ｕ字型等の切れ込みをいう。
【発明の効果】
【００１１】
本発明のフィルム付容器によれば、容器本体に巻着されているシュリンクフィルムの縁部に一対のノッチが形成され、かつシュリンクフィルムの延伸方向が容器本体の周方向となっているので、ノッチ間のシュリンクフィルムをつまんで引っ張ることにより、シュリンクフィルムにミシン目を形成していなくても、ノッチ間のフィルムを面状に一気に引き剥がすことが可能となる。したがって、ミシン目を大きく、あるいは多数列形成することにより破断容易性を高めることが不要となり、輸送中や陳列時などにミシン目が不要に破断することを解消できる。
【００１２】
また、一対のノッチは一見して視認することができるので、従来のミシン目の破断開始部を探す場合のような手間がない。
【００１３】
さらに、ノッチのシュリンクフィルム縁部側角隅部の形状は面取りされているので、ノッチの角隅部に浮き上がりやめくれは生じず、ノッチ部分のフィルムは容器本体に沿うように被着している。したがって、めくれ上がった部分が、輸送中や陳列時に周囲の物に引っかかり、シュリンクフィルムを不要に裂けさせたり、容器の使用者の手指に当たって使用者を不快にさせたりすることもない。特に、ノッチのシュリンクフィルム縁部側角隅部の面取りを丸み付けにより行った場合には、角隅部が手に触れたときの感触が確実に滑らかとなるので好ましい。
【発明を実施するための最良の形態】
【００１４】
以下、図面を参照しつつ本発明を詳細に説明する。なお、各図中、同一符号は同一又は同等の構成要素を表している。
【００１５】
図１は、本発明の一態様のフィルム付容器１Ａの斜視図である。このフィルム付容器１Ａは、茶等の飲料を収容する容器で、４つのパネル面を有する角型ＰＥＴボトルを容器本体２とし、その上端開口部にはキャップ４が取り付けられている。容器本体２の肩部から胴部の下端部にかけてはシュリンクフィルム１０が巻着しており、１つのパネル面３上のシュリンクフィルム１０の上縁部１１に一対のノッチ２０ａ、２０ｂが設けられている。
【００１６】
各ノッチ２０ａ、２０ｂは、略Ｖ字型をしているが、シュリンクフィルム１０の上縁部１１側のノッチの角隅部２１は丸み付けにより面取りされた形状となっている。この面取り部分は、シュリンク前のフィルムに、角隅部２１を面取りしたノッチ２０ａ、２０ｂを形成しておき、それをシュリンクさせることにより形成したものであり、このようにノッチ２０ａ、２０ｂの角隅部２１を面取りすることにより、ノッチの角隅部２１においても、シュリンク後にフィルムを容器本体２の側面に沿うように被着させることができ、ノッチの角隅部２１でフィルムに浮きやめくれが生じるのを防止できるので好ましい。これに対し、ノッチの角隅部２１を面取りしない場合には、図１０に示すように、シュリンク後に角隅部２１のフィルム１０が浮いてめくれ上がり易くなる。
【００１７】
ノッチの角隅部２１に丸み付けするにあたり、丸み付けの程度は、図３に示すように、略Ｖ字型の切り込み角度θ、切り込み深さＬ1、角隅部２１の曲率半径Ｒ等に応じて定めることが好ましく、例えば、切り込み角度θが０度より大きく、１５０度以下、切り込み深さＬ1＝１ｍｍ〜４ｍｍの場合に、角隅部２１の曲率半径Ｒ＝１ｍｍ〜１０ｍｍとすることが好ましく、そのためには、シュリンク前のノッチ形状を、切り込み角度θ＝０度〜１２０度、切り込み深さＬ1＝１.２ｍｍ〜４.５ｍｍ、角隅部２１の曲率半径Ｒ＝０．５ｍｍ〜８ｍｍとすることが好ましい。
【００１８】
一対のノッチ２０ａ、２０ｂの形成位置は、容器本体２が角型容器の場合には、図１に示したように、一つのパネル面３上に設ける。これにより、ノッチ２０ａ、２０ｂの間フィルムをつまんで引っ張ることにより、図２に示すように、パネル面３上のシュリンクフィルム１０を面状に引き剥がすことが可能となる。
【００１９】
この場合、ノッチ２０ａ、２０ｂの間隔は、狭すぎると破断がシュリンクフィルム１０の上縁部１１から下縁部にまで達しない場合があることから、ノッチ２０ａ、２０ｂの谷底間の距離Ｌ2を３０ｍｍ以上とすることが好ましい。また、一対のノッチ２０ａ、２０ｂが一つのパネル面上に設けられている限り、ノッチ２０ａ、２０ｂの谷底間の距離Ｌ2に格別の上限はなく、パネル幅以下とすればよい。
【００２０】
一方、シュリンクフィルム１０としては、特に制限はなく、２軸延伸ポリスチレンフィルム（ＯＰＳ）、２軸延伸ポリプロピレン（ＯＰＰ）等を使用することができる。これらのフィルムは、その延伸方向の垂直方向に避けやすいことから、本発明においては、シュリンクフィルム１０の延伸方向を容器本体２の周方向、即ち、ノッチ２０ａ、２０ｂによる引き裂き方向と概ね直交行させる。これにより、シュリンクフィルム１０にミシン目が形成されていなくても、一対のノッチ２０ａ、２０ｂの作用と相まって、ノッチ２０ａ、２０ｂの間のフィルムをつまんで引っ張ることにより、パネル面３上のシュリンクフィルム１０を上縁部１１から下縁部１２まで一気に引き剥がしきることが可能となる。
【００２１】
シュリンクフィルム１０を容器本体２に巻着する位置は、少なくとも容器本体２の胴部の一部又は全部がシュリンクフィルム１０で被われるようにするが、容器本体２に巻着させたシュリンクフィルム１０が容器本体２から抜け落ちることを防止する点から、容器本体２の肩部から胴部の下端部にかけてシュリンクフィルム１０で被われるようにすることが好ましい。
【００２２】
フィルム付容器１Ａの製造方法は、シュリンク前のフィルムに前述の面取りしたノッチを形成しておき、常法にしたがい、容器本体２にフィルムを被せ、そのフィルムを加熱によりシュリンクさせればよい。
【００２３】
本発明は、上述のフィルム付容器１Ａの他に、種々の態様をとることができる。
【００２４】
例えば、図４のフィルム付容器１Ｂのように、角隅部を丸み付けした一対のノッチ２０ａ、２０ｂを近接させ、双方のノッチ２０ａ、２０ｂの隣り合う角隅部２１の曲線が、連続した一つの弧２２を描くようにしてもよい。
【００２５】
図５のフィルム付容器１Ｃのように、略Ｖ字型のノッチの角隅部２１を直線で角を落とすことにより面取りしてもよい。
【００２６】
また、一対のノッチ２０ａ、２０ｂは、角型ＰＥＴボトルの一つのパネル面に設ける他、図６のフィルム付容器１Ｄのように、一対のノッチ２０ａ、２０ｂを角型ＰＥＴボトルの各パネル面３に設けてもよい。これにより、正面、背面、側面のいずれの方向から見た場合でも、破断開始部とするノッチ２０ａ、２０ｂを容易に視認することができるので好ましい。
【００２７】
一対のノッチ２０ａ、２０ｂは、図７のフィルム付容器１Ｅのように、シュリンクフィルム１０の上縁部１１の他、下縁部１２に設けてもよい。
【００２８】
さらに、図８のフィルム付容器１Ｆのように、ノッチ２０ａ、２０ｂの谷部から容器本体２の高さ方向にミシン目１３を設けてもよい。これにより、ノッチ２０ａ、２０ｂの間でフィルムをつまんで引っ張ると、ミシン目１３に沿ってシュリンクフィルム１０が破断し、シュリンクフィルム１０の破断を一層容易に行うことが可能となる。なおこの場合、破断開始部が視認され易くなるように、ミシン目を過度に大きくしたり、多数列形成したりすることは不要であり、ミシン目は、破断誘導の補助的な役割を果たせるように設ければよい。
【００２９】
本発明のシュリンクフィルム１０を巻着させる容器本体２は、角型ＰＥＴボトルに限らず、図９のフィルム付容器１Ｇのように、丸型ＰＥＴボトルとしてもよい。また、容器本体の素材は、ＰＥＴに限らず、ＰＥ（ポリエチレン）等としてもよい。
【００３０】
容器本体２を丸型容器とする場合、一対のノッチ２０ａ、２０ｂを一つのパネル面上に形成するという制約がなくなるが、破断のし易さの点から、ノッチ２０ａ、２０ｂは、その谷底間の距離Ｌ2が３０〜５０ｍｍとなるように設けることが好ましい。
【産業上の利用可能性】
【００３１】
本発明は、容器の廃棄時にシュリンクフィルムの分別が必要とされる、飲料、食用油、洗剤などの家庭品等のフィルム付容器において有用となる。
【図面の簡単な説明】
【００３２】
【図１】フィルム付容器の斜視図である。
【図２】シュリンクフィルムを引き剥がしている状態のフィルム付容器の斜視図である。
【図３】ノッチの角隅部が面取りされているフィルム付容器のノッチ付近の拡大斜視図である。
【図４】ノッチの角隅部が面取りされているフィルム付容器のノッチ付近の拡大斜視図である。
【図５】ノッチの角隅部が面取りされているフィルム付容器のノッチ付近の拡大斜視図である。
【図６】フィルム付容器の斜視図である。
【図７】フィルム付容器の斜視図である。
【図８】フィルム付容器の斜視図である。
【図９】フィルム付容器の斜視図である。
【図１０】ノッチの角隅部が面取りされていないフィルム付容器のノッチ付近の拡大斜視図である。
【符号の説明】
【００３３】
１Ａ、１Ｂ、１Ｃ、１Ｄ、１Ｅ、１Ｆ、１Ｇ    フィルム付容器
２      容器本体
３      パネル面
４      キャップ
１０      シュリンクフィルム
１１      上縁部
１２      下縁部
１３      ミシン目
２０ａ、２０ｂ  ノッチ
２１      ノッチの角隅部
２２      弧
【図１】
2007331764.tif 000003
【図２】
2007331764.tif 000004
【図３】
2007331764.tif 000005
【図４】
2007331764.tif 000006
【図５】
2007331764.tif 000007
【図６】
2007331764.tif 000008
【図７】
2007331764.tif 000009
【図８】
2007331764.tif 000010
【図９】
2007331764.tif 000011
【図１０】
2007331764.tif 000012